(57)【要約】【課題】従来のＵＳＢコネクタが一方向のみにしか挿入出来ない問題を解決し、使用上の利便性を高めるＵＳＢコネクタを提供する。【解決手段】ＵＳＢコネクタは、ケースと本体と弾性部とを含む。本体はケース内に設置されると共にケースに相対して移動し、第一面及び第二面を有し、また第一導電端及び第二導電端を含み、第一面及び第二面にそれぞれ設置される。弾性部は本体の第一面及び第二面にそれぞれ結合され、弾性部は弾性により本体をケース内の位置に固定する。【選択図】図１
2013118165.tif 000002
【特許請求の範囲】
【請求項１】
ＵＳＢコネクタであって、
ケースと、
前記ケースに設置されると共に前記ケースに相対して移動し、第一面と、第二面と、第一導電端と第二導電端とを有し、前記第一導電端及び前記第二導電端は前記第一面及び前記第二面にそれぞれ設置される本体と、
前記本体の前記第一面と前記第二面とに接続される弾性部とを含み、
前記弾性部は前記本体を弾性により前記ケース内の位置に固定させることを特徴とするＵＳＢコネクタ。
【請求項２】
前記本体は前記ケースの中央に予めに設置されることを特徴とする請求項１に記載のＵＳＢコネクタ。
【請求項３】
前記弾性部は
前記本体の前記第一面と前記第二面とにそれぞれ結合される固定部材と、
前記固定部材に結合され、前記固定部材に連動して前記本体を前記ケース内で前記ケースに相対して移動させる弾性部材を更に含むことを特徴とする、請求項２に記載のＵＳＢコネクタ。
【請求項４】
前記固定部材の前縁は円弧状であることを特徴とする、請求項３に記載のＵＳＢコネクタ。
【請求項５】
前記ＵＳＢコネクタは、一体形成で前記金属ケースに被覆される絶縁ケースを更に含むことを特徴とする、請求項４に記載のＵＳＢコネクタ。
【請求項６】
前記本体の前記第一面の前縁及び前記第二面の前縁は円弧状であることを特徴とする、請求項２に記載のＵＳＢコネクタ。
【請求項７】
さらに、一体形成で前記金属ケースに被覆される絶縁ケースを更に含むことを特徴とする、請求項６に記載のＵＳＢコネクタ。
【請求項８】
前記ケースは金属材料で構成され、前記本体は絶縁材料であることを特徴とする、請求項１に記載のＵＳＢコネクタ。
【発明の詳細な説明】
【技術分野】
【０００１】
本発明は、ＵＳＢ(Universal serial bus)コネクタに関し、より詳しくは、両面から挿入可能であるＵＳＢコネクタに関する。
【背景技術】
【０００２】
ＵＳＢは現在幅広く認定され採用されている転送プロトコルである。高速な転送率を誇り、昨今の殆どパソコン本体やノート型パソコン等にはＵＳＢコネクトポートを備えている。また多くのパソコン機器にもＵＳＢドライバーが内蔵されている。この他、ＵＳＢ転送方式は挿し込むだけですぐ使えるという長所を有しているため、ＵＳＢは目下常用されるＵＳＢメモリ、ポータブルハードディスク、ＭＰ３プレイヤー、及び外付けポータブルプレイヤー等の各種電子装置の普遍的な転送プロトコルとなっている。ＵＳＢコネクタ及びその転送プロトコルは電子装置の不可欠な装備となっている。
【先行技術文献】
【特許文献】
【０００３】
【特許文献１】台湾特許第Ｉ３５３６９４号公報
【特許文献２】台湾特許第Ｉ３５５５９１号公報
【発明の概要】
【発明が解決しようとする課題】
【０００４】
しかしながら、前述した従来の技術において、一般規格のＵＳＢコネクタは一方向にのみにしか挿入出来ないため、内部の本体及び導電端も挿入方向に合わせて固定させねばならない。ユーザーはＵＳＢコネクタを逆に挿入させる事はできず、無理をして挿し込もうとすればコネクタ或いは対応するコネクトポートを損壊させてしまうことがある。ＵＳＢコネクタは全て図を用いて正面と裏面を表示しており、ユーザーが挿入方向を間違えないように配慮されているが、一部の電子装置は内部部材の設置規格の関係上、対応するＵＳＢコネクトポートを常に反対に設置しているため、ユーザーが図の通りに正面に挿入させようとすると挿入出来ず、使用上不便である問題が発生していた。
【０００５】
本発明は、このような従来の問題に鑑みてなされたものである。上記課題解決のため、本発明は、従来のＵＳＢコネクタが一方向にのみしか挿入出来ない問題を解決させて使用上の利便性を向上させるＵＳＢコネクタを提供することを主目的とする。
【課題を解決するための手段】
【０００６】
上述した課題を解決し、目的を達成するために、本発明に係るＵＳＢコネクタは、ケースと、ケースに設置されると共にケースに相対して移動し、第一面と第二面と第一導電端と第二導電端とを有し、第一導電端及び第二導電端は第一面及び第二面にそれぞれ設置される本体と、本体の第一面及び第二面に接続される弾性部とを含み、弾性部が本体を弾性によりケース内の位置に固定させることを特徴とする。
【発明の効果】
【０００７】
本発明によると、ケース内部でケースに相対して移動する本体及び本体の第一面と第二面とにそれぞれ設置される第一導電端及び第二導電端により、弾性部に本体を連動させることにより、ＵＳＢコネクタ使用時の挿入方向の問題を解決する。これによりユーザーの使用上の困難を減少し、同時にＵＳＢコネクタが挿入方向のミスにより損壊されるのを防ぎ、ＵＳＢコネクタの長寿命化が得られる。
【図面の簡単な説明】
【０００８】
【図１】本発明に係るＵＳＢコネクタの組み合わせの概略図である。
【図２】本発明に係るＵＳＢコネクタの傾斜図である。
【図３】本発明に係るＵＳＢコネクタの側視図である。
【図４】ＵＳＢコネクタが電子装置に挿入される場合の概略図である。
【図５】本発明に係る実施態様のＵＳＢコネクタが電子装置に挿入される場合の側視図である。
【図６】本発明に係る他の実施態様のＵＳＢコネクタが電子装置に挿入される場合の側視図である。
【発明を実施するための形態】
【０００９】
以下、本発明の実施形態を図面に基づいて説明する。なお、本発明は、以下に説明する実施形態に限定されるものではない。
【００１０】
まず、本発明のＵＳＢコネクタの第１実施形態について説明する。
（第１実施形態）
図１から図６に、本発明の第１実施形態の構成を示す。図１は本発明に係るＵＳＢコネクタの組み合わせの概略図であり、図２と図３はそれぞれ本発明ＵＳＢコネクタの傾斜図及び側視図である。ＵＳＢコネクタ１０はケース１０１と本体１０２と弾性部１０３とを含む。ここで、本体１０２はケース１０１内に設置され、本体１０２はケース１０１の所定の位置を中空部分の中央とし、本体１０２は第一面１０２１と第二面１０２３とを有し、また本体１０２は第一面１０２１と第二面１０２３とにそれぞれ設置される第一導電端１０２２及び第二導電端１０２４とを有する。注意すべきは、第一導電端１０２２と第二導電端１０２４とはＵＳＢに関するプロトコルの技術規格に適合するよう設置されている点であり、二つの導電端は皆独立して動作する。この他、ケース１０１は金属材質であり、且つ本体１０２は絶縁材質である。
【００１１】
本発明で掲示するＵＳＢコネクタ１０内において、弾性部１０３は上下の二つの部分に分かれており、それぞれ本体１０２の両側に配置される。弾性部１０３は固定部材１０３１と弾性部材１０３２とを有する。本体１０２の両側に位置する固定部材１０３１の前縁は円弧状であり、それぞれ本体１０２の第一面１０２１と第二面１０２３とに結合される。弾性部材１０３２と固定部材１０３１とは互いに結合され、固定部材１０３１を連動させると共に本体１０２を連動させ、ケース１０１の中空部分内でケース１０１に相対して移動される。弾性部材１０３２の材質は制限されないが、主にばね、弾性ポリウレタン、メタルドーム等である。当該技術分野で通常知識を有する者であれば需要に合わせて、異なる材質を採用して弾性部材とすることが可能である。
【００１２】
図２及び図３によると、ＵＳＢコネクタ１０は更に絶縁ケース１０５を含み、絶縁ケース１０５は一体成形で金属ケース１０１を被覆し、ユーザーのＵＳＢコネクタ１０の取外し或いは挿入に用いられる。
【００１３】
図４及び図５は、本発明に係る実施態様のＵＳＢコネクタを電子装置に挿入する場合の概略図及び側視図である。図４によると、ユーザーがＵＳＢコネクタ１０を電子装置のＵＳＢコネクトポート２０に挿入する場合、ＵＳＢコネクトポート２０の開口部に、本体１０２の前縁に位置する弾性部材１０３２と固定部材１０３１とが接触する。図５によると、ＵＳＢコネクトポート２０内の導電ピン２０１をＵＳＢコネクトポート２０の下方に設置する場合、本体１０２の下方に位置する弾性部材１０３２が押圧され、固定部材１０３１及び連結される本体１０２を連動し、ケース１０１の中空部分内を上に向けて移動させる。弾性部材１０３２及び固定部材１０３１が導電ピン２０１を通過した後、本体１０２の上下の両部分に位置される弾性部材１０３２及び固定部材１０３１はＵＳＢコネクトポート２０内部の空間に合わせて固定され、本体１０２の第二面１０２３に位置される第二導電端１０２４が導電ピン２０１に電気的に接続される。図６はそれぞれ本発明に係る他の実施態様のＵＳＢコネクタが電子装置に挿入される場合の側視図である。図６によると、反対にＵＳＢコネクトポート２０内の導電ピン２０１がＵＳＢコネクトポート２０の上方に設置された場合、本体１０２の上方に位置される弾性部材１０３２が押圧され、固定部材１０３１と連結される本体１０２とを連動し、ケース１０１の中空部分内を下に向けて移動させる。弾性部材１０３２と固定部材１０３１とが導電ピン２０１を通過させた後、本体１０２の上下の両部分に位置される弾性部材１０３２及び固定部材１０３１はＵＳＢコネクトポート２０内部の空間に合わせて固定され、また本体１０２の第一面１０２１に位置される第一導電端１０２３は導電ピン２０１に電気的に接続される。
【００１４】
上述の本発明で掲示する結合部及び上下に移動する本体を有するＵＳＢコネクタは、ユーザーがＵＳＢコネクトポートの挿入方向を配慮する必要がない。正面に挿入しても反対に挿入しても、ＵＳＢコネクタは共に正常にＵＳＢコネクトポートに結合される。使用上の困難を減少し、利便性を向上し、挿入ミスによるＵＳＢコネクタの損壊を防ぎ、使用寿命を伸ばす。
【００１５】
上述の実施形態は、本発明の技術思想及び特徴を説明するためのものに過ぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００１６】
１０  …  ＵＳＢコネクタ
１０１  …  ケース
１０２  …  本体
１０２１  …  第一面
１０２２  …  第一導電端
１０２３  …  第二面
１０２４  …  第二導電端
１０３  …  弾性部
１０３１  …  固定部材
１０３２  …  弾性部材
【図１】
2013118165.tif 000003
【図２】
2013118165.tif 000004
【図３】
2013118165.tif 000005
【図４】
2013118165.tif 000006
【図５】
2013118165.tif 000007
【図６】
2013118165.tif 000008